(57)【要約】  本発明は少なくとも２つの層を有する積層体に関し、ここで積層体の少なくとも１つの層は、活性物質を含有する水溶性ポリマーフィルム（＝「活性物質含有水溶性ポリマーフィルム」）であり、このポリマーは水溶性ポリマーであり、そしてこの積層体の少なくとも１つの第二層は、水溶性ポリマーからなる不織布、編物、織物、又は泡膜（＝「水分保持層」）であり、これら２つの層の水溶性ポリマーは同一でも異なっていてもよい。本発明はさらに、このような積層体の製造及びそれらの使用に関する。【特許請求の範囲】
【請求項１】
少なくとも２層の積層体であって、ここで
-  積層体の少なくとも１つの層は活性成分含有水溶性ポリマーフィルム（＝「活性成分含有水溶性ポリマー層」）であり、ここで該ポリマーは水溶性ポリマーであり、
かつ
-  積層体の少なくとも１つの第二層は、水溶性ポリマーからなる、不織布、編物、織物又は泡膜（＝「水分保持層」）であり、ここで２つの層の水溶性ポリマーは同一でも異なっていてもよい、上記積層体。
【請求項２】
水溶性ポリマーが：セルロース誘導体、ポリビニルピロリドン、ポリビニルアルコール、アルギン酸ナトリウム、ポリエチレングリコール、天然ゴム、水分散性ポリアクリレート、及びそれらの混合物から選択されることを特徴とする、請求項１に記載の積層体。
【請求項３】
活性成分含有水溶性ポリマーフィルム中の水溶性ポリマーの濃度が２〜７０質量％の間であることを特徴とする、請求項１又は２に記載の積層体。
【請求項４】
活性成分含有水溶性ポリマーフィルムが、界面活性物質（＝界面活性剤）、好ましくは１つ又はそれ以上の非イオン性表面活性物質、好ましくは５．０及びそれ以上のＨＬＢ値を有するもの、特に好ましくは非イオン形成性表面活性物質、そして非常に特に好ましくは
-  脂肪アルキル基中に８〜２２個の炭素原子並びに１〜３０のエチレンオキシド及び／若しくはプロピレンオキシド単位を有するアルコキシル化脂肪アルコール、並びに／又は
-  脂肪酸基中に８〜２２個の炭素原子並びに１〜３０のエチレンオキシド及び／若しくはプロピレンオキシド単位を有するアルコキシル化脂肪酸、並びに／又は
-  アルコキシル化モノグリセリド、ジグリセリド及びトリグリセリド、並びに／又は
-  ポリグリセロールエステル及びアルコキシル化ポリグリセロールエステル、並びに／又は
-  ソルビタン脂肪酸エステル及びアルコキシル化ソルビタン脂肪酸エステル、並びに／又は
-  アルキル鎖中に６〜２１個の炭素原子並びに０〜３０のエチレンオキシド及び／又はプロピレンオキシド単位を有する、アルキルフェノール及びアルキルフェノールアルコキシレート
を含み、
ここで活性成分含有水溶性ポリマーフィルム中の界面活性物質の総濃度が好ましくは０．１〜５質量％の間である、
請求項１〜３のいずれか１項に記載の積層体。
【請求項５】
活性成分含有水溶性ポリマーフィルムが、可塑剤、好ましくは多価アルコール、特にグリセロール、デクスパンテノール、ポリエチレングリコール、プロピレングリコール、及び／又は脂肪酸グリセロールモノエステルを含み、ここで活性成分含有水溶性ポリマーフィルムの乾燥質量における可塑剤の濃度は好ましくは０．１〜１５質量％であることを特徴とする、請求項１〜４のいずれか１項に記載の積層体。
【請求項６】
活性成分含有水溶性ポリマーフィルム中の活性成分が、群：睡眠薬、鎮静薬、抗てんかん薬、アンフェタミン、精神神経薬、神経筋遮断薬、抗鎮痙薬、抗ヒスタミン薬、抗アレルギー薬、強心薬、抗不整脈薬、利尿薬、降圧薬、血管収縮薬、鎮咳薬、去痰薬、甲状腺ホルモン、性ホルモン、抗糖尿病薬、抗腫瘍活性成分、抗生物質、化学療法薬、麻酔薬、スキンケア剤、ヘアケア剤、息清涼剤、矯味矯臭剤、調味料、芳香物質、香料、デンタルケア用活性成分、口腔衛生用活性成分、漂白剤及びそれらの混合物から選択されることを特徴とする、請求項１〜５のいずれか１項に記載の積層体。
【請求項７】
活性成分含有水溶性ポリマーフィルムが、場合により被覆粒子の形態の１つ又はそれ以上のアルカリ化剤、好ましくは少なくとも２つの異なるアルカリ化剤を含み、ここで該アルカリ化剤は、好ましくは活性成分含有水溶性ポリマーフィルム中に（非被覆アルカリ化剤として計算して）１〜５０質量％の量で存在することを特徴とする、請求項１〜６のいずれか１項に記載の積層体。
【請求項８】
積層体、好ましくは活性成分含有水溶性ポリマーフィルムが、漂白剤、好ましくは少なくとも１つのペルオキソ化合物を、好ましくは２〜８０質量％の量で含むことを特徴とする、請求項１〜７のいずれか１項に記載の積層体。
【請求項９】
積層体の第二層が、不織布の形態の水溶性ポリマーのステープルファイバーから構成されるか、又は編物若しくは織物の形態の水溶性ポリマーの対応する繊維から構成され、ここで不織布、編物若しくは織物の厚さは、好ましくは５〜１０００μｍの間で変化し、かつ／又はそれらの面積質量は５〜１０００ｇ／ｍ2の間であることを特徴とする、請求項１〜８のいずれか１項に記載の積層体。
【請求項１０】
積層体の第二層が、好ましくは０．１〜５ｍｍの厚さを有する、水溶性ポリマーの泡膜であることを特徴とする、請求項１〜８のいずれか１項に記載の積層体。
【請求項１１】
積層体が第三層（＝支持体）を含み、第三層は好ましくは：アルミニウム膜のような金属膜、非シリコン処理ポリエチレンテレフタレートフィルム、非シリコン処理クラフト紙、ポリエチレン含浸クラフト紙及び非シリコン処理ポリエチレンフィルムから選択されることを特徴とする、請求項１〜１０のいずれか１項に記載の積層体。
【請求項１２】
請求項１に記載の積層体を製造するための方法であって、
活性成分含有ポリマーフィルム及び水溶性不織布、編物、織物若しくは水溶性泡膜を別々に製造し、重ね合わせ、次いで一緒にして巻き取るか若しくは組み立てて積層体を得るか、
又は水溶性不織布、編物、織物、若しくは水溶性泡膜を活性成分含有ポリマーフィルムの製造過程において、場合により支持膜を用いて、ポリマーフィルム上に積層するか、若しくは塊として広げて、次いで積層体［任意の支持膜を含むか又は任意の支持膜を分離した後］を巻き取り、そして貯蔵するか若しくは適切な寸法の部分に切り分け、そして成形して包装するか、
又は水溶性不織布、編物、織物、若しくは水溶性泡膜の製造過程において活性成分含有ポリマーフィルムを、場合により支持膜を用いて、水溶性不織布、編物、織物若しくは水溶性泡膜上に積層するか若しくは広げて、次いで積層体［任意の支持膜を含むか又は任意の支持膜を除去した後］を巻き取り、そして貯蔵するか若しくは適切な寸法の部分に切り分け、そして成形し包装する、
ことを特徴とする、上記方法。
【請求項１３】
薬物又は化粧品を投与するための、請求項１に記載の積層体の使用。
【請求項１４】
毛髪を脱色するための、請求項１３に記載の使用。
【請求項１５】
毛髪を脱色するための方法であって：
-  請求項８に記載の積層体の水分保持層を水性媒体で湿潤させる工程、
-  一房の毛髪を湿潤した水分保持層上に配置する工程、
-  湿潤した水分保持層と活性成分含有層との間の長期の接触によって活性成分を放出させる工程、
-  活性成分が一房の毛髪に対して作用するようにする工程、及び
-  積層体を除去する工程
を特徴とする、上記方法。
【発明の詳細な説明】
【技術分野】
【０００１】
本発明は、少なくとも１つの活性成分含有水溶性ポリマーフィルム（＝「活性成分含有水溶性ポリマー層」）及び給水能を有する平坦な支持体（＝「水分保持層」）の積層体に関する。
【背景技術】
【０００２】
活性成分含有水溶性ポリマーフィルムは公知である（例えば特許文献１、特許文献２、特許文献３、特許文献４、特許文献５、特許文献６又は特許文献７から）。このようなフィルムを製造するために、活性成分をポリマー又はポリマー溶液に溶解又は分散させ、そしてこの溶液又は分散液を成型して、平坦な支持体を用いるか又は用いずにフィルムを得、次いで乾燥し、そして使用した任意の支持体から分離し、そして販売できる製品にする。この種の公知のポリマーフィルムは、例えば口腔衛生ストリップ（Ｌｉｓｔｅｒｉｎｅ(R)ストリップ）、歯の漂白用ストリップ（Ｃｒｅｓｔ  Ｗｈｉｔｅｓｔｒｉｐｓ(R)）又は例えば咳、くしゃみ、悪寒に対処するための医薬品（Ｔｈｅｒａｆｌｕ(R)  Ｃｏｌｄ／Ｃｏｕｇｈ  Ｎｉｇｈｔｔｉｍｅ  Ｓｔｒｉｐｓ、Ｔｒｉａｍｉｎｉｃ  Ｔｈｉｎ  Ｓｔｒｉｐｓ(R)）である。このようなフィルムで使用され得る多様な活性成分は、広く過酸化物のような無機固形物から複雑な有機化合物（医薬）及び天然物質までの範囲に及ぶ。
【０００３】
活性成分が水に容易にかつ急速に溶解し、かつ水性媒体への溶解後にそれらの活性を直接的に発現させることができるならば、記載される技術は有利に使用され得る。しかし、水との接触が量の点では適切であるが、ポリマー又は活性成分の溶解速度が（ポリマー及び）活性成分を完全に溶解させるまでの時間という点では不十分である場合（例えばストリップが短時間しか水で湿っていない場合）には問題が生じる。公知の活性成分含有水溶性ポリマーフィルムに関して、活性分及びポリマーの組み合わせは、全部の溶解に適した水の量を十分な長期にわたって貯蔵することも利用可能にすることもできない。
【０００４】
活性成分（溶解した形態又は固形）が適用前にさらに活性化されなければならない場合、例えば（例えば二酸化炭素を生成するための炭酸塩、例えば発泡の目的のため）、特にこの活性化を危険性を伴わずに使用者に任せておくことができないが、いくつかの形態のすぐに使える活性成分含有ポリマーフィルムで既に提供されていなければならない場合に、さらなる複雑な状態が生じる。それらの例は：過硫酸塩（例えば毛髪の漂白のため）であり、これは過酸化カルバミド又は過酸化水素を用いて活性化されなければならない。ここで、適用前にポリマーフィルム結合過硫酸塩に例えば過酸化カルバミド溶液をスプレーすることを使用者に任せておくことはできない；不慣れな使用者がこれらの物質を扱う傷害の危険性は大きすぎる（眼の傷害、粘膜刺激、皮膚刺激）。このような場合、活性剤は使用者により引き起こされるだけでよいということを意味する外見上「キット形態」で都合よく（ｅｘｐｅｄｉｅｎｔｌｙ）既に提供されているべきである。
【先行技術文献】
【特許文献】
【０００５】
【特許文献１】ＥＰ−Ａ−０４５０１４１
【特許文献２】ＷＯ９８／０２６７６４
【特許文献３】ＷＯ００／０１８３６５
【特許文献４】ＵＳ−Ａ−２００１／００６６７７
【特許文献５】ＷＯ０２／００２０８５
【特許文献６】ＷＯ０４／０６０２９８
【特許文献７】ＷＯ０５／００９３８６
【発明の概要】
【発明が解決しようとする課題】
【０００６】
従って目的は、
-  貯蔵することができ、かつ／又は
-  適切な長さの時間の間、
-  少なくとも活性成分を溶解するために十分な量の水
提供することができ、
そして場合により、
-  活性成分のための活性剤を含み、ここで
-  必要な場合、活性剤が活性成分と時期尚早に反応することが防止される、
活性成分含有水溶性ポリマーフィルムを提供することである。
【課題を解決するための手段】
【０００７】
この目的は少なくとも２層の積層体により達成され、ここで
-  積層体の少なくとも１つの層は活性成分含有水溶性ポリマーフィルム（１）＝「活性成分含有水溶性ポリマー層」）であり、
かつ
-  積層体の少なくとも１つの第二層は、水溶性ポリマーからなる、不織布、編物、織物又は泡膜（＝「水分保持層」（２））である。
【０００８】
定義
積層体
「積層体」は、小さい厚みしかない、通常は各場合に１０〜５０００μｍ（好ましくは５０〜１０００μｍ、特に好ましくは１００〜８００μｍ）の、２つ又はそれ以上の平坦な、すなわち二次元のフィルム（上記及び下記にて「層」とも呼ばれる）の複合体を意味すると理解され、このフィルムの複合体は、製品の典型的な処理下で（例えば曲げ又は開口の際に）層剥離しないように供給される（１８０°Ｔ字剥離試験（Ｔ−ｐｅｅｌ  ｔｅｓｔ）において層剥離力＞５Ｎ／ｍｍ［１５ｍｍ積層体幅、１ｃｍ／ｓ剥離速度］）。このような積層体は、例えば多層ノズルを通した共押出により、２つ若しくはそれ以上の予め製造されたフィルムウェブを２つ若しくはそれ以上のウェブの間に接着促進剤（例えば接着剤）を用いて若しくは用いずに接合させることにより、又はコーティング、例えば予め製造されたフィルムウェブの１つ若しくは両方の表面上の押し出しコーティングにより、又は記載される方法のいずれかの望ましい組み合わせにより得られる。
【０００９】
層
層は本発明に従う積層体のフィルム様構成要素である（上記の定義：積層体を参照のこと）。
【００１０】
活性成分
本発明において、活性成分は、人々又は動物において美容効果又は医薬効果を生じるか、又は化学反応の結果として化学的若しくは物理的な変化（例えば気体の放出）をそれ自体において若しくは活性成分と接触している媒体（例えば皮膚、エナメル質、毛髪）において（例えばｐＨ変化、酸化）引き起こす物質を意味すると理解される。
【００１１】
それらの例は：界面活性剤、洗剤、スキンケア剤、漂白剤、ｐＨ調整剤、栄養補助食品であるが、医薬活性成分もその例である。
【００１２】
活性剤
活性剤も同様に活性成分の分類に含まれるが、「活性化されるべき」活性成分に対してその機能を合わせたものであり、これにより上記活性成分がその活性を生じることが可能になる。「活性成分−活性剤対」の例は：炭酸塩−（カルボン）酸、過酸化物−水、ポリマー−架橋剤、モノマー−開始剤、酵素−プロドラッグなどである。
【００１３】
水溶性ポリマーフィルム
本発明によれば、水溶性ポリマーフィルムは、フィルム形成性水溶性ポリマー（例えば、ＰＶＡ、ＰＶＰ、多糖類など）及び場合により補助剤、例えば可塑剤、表面活性物質、色素、香料、甘味料、矯味矯臭剤、調味料、崩壊剤などのフィルムを意味すると理解される。
【００１４】
このような水溶性ポリマーフィルム及びそれらの製造は、例えばＤＥ−Ａ−１９６４６３９２（この時点で明示的にこれを参照する）において記載される。
【００１５】
本発明に従う「水溶性ポリマー」は、水に少なくとも９０質量％、好ましくは９５質量％まで水に溶解する（測定条件：Ｈ2Ｏ  ２００ｍｌ中、粒状形態のポリマー１０ｇ［ｄ50：５００〜５０００μｍの間］、撹拌しながら［２００−１０００ｒｐｍ］２５℃、３０分、ホワイトバンドフィルター（ｗｈｉｔｅ  ｂａｎｄ  ｆｉｌｔｅｒｓ）（フィルターグループ２）を通してろ過し、示差秤量により残量を決定）。存在する残留物は通常、不溶性の膨潤ポリマーである。
【００１６】
不織布、編物、織物、泡膜（ｆｏａｍ  ｆｉｌｍ）
不織布、編物、及び織物は、−当業者に公知の方法により−  ポリマー繊維から製造され、ここで繊維ポリマーは水溶性ポリマー（例えば、ＰＶＡ、ＰＶＰ、多糖類など）である。本発明の泡膜は、同様に水溶性ポリマーから製造され、その手順は通常、最初にポリマーを水に溶解し、次いでポリマー溶液に気体を導入することを含み、するとすぐに溶液が泡立つ。次いで気泡を含有する塊（フォーム）をフィルム又は層として適切な基材上に広げ、その後乾燥させる。溶媒除去の結果として、そのフォームは乾燥の間に凝固して、形成された空洞が永久構造物を生じるエアロゲルを生じる。このようなフォーム及びそれらの製造は、例えばＤＥ−Ａ−１００３２４５６（この時点で明示的にこれを参照する）に記載される。
【００１７】
詳細な説明
活性成分含有水溶性ポリマーフィルム
本発明の活性成分含有水溶性ポリマーフィルムは、必須の構成要素として、水溶性ポリマー又は水溶性ポリマーの組み合わせ及び活性成分、並びに場合により１つ若しくはそれ以上の可塑剤及び／又は表面活性物質を含む。このようなフィルムは、例えばＤＥ−Ａ−１９６４６３９２（この時点で明示的にこれを参照する）に記載される。
【００１８】
フィルムのために使用されるポリマーとしては、親水性及び／又は水溶性ポリマー、例えばセルロース誘導体、ヒドロキシプロピルメチルセルロース、ヒドロキシエチルセルロース、ヒドロキシプロピルセルロース、カルボキシメチルセルロース、ポリビニルピロリドン、ポリビニルアルコール、アルギン酸ナトリウム、ポリエチレングリコール、天然ゴム、例えばキサンタン樹脂、トラガカント、グアー樹脂、アカシア樹脂、アラビアゴム、水分散性ポリアクリレート、例えばポリアクリル酸、メタクリル酸メチルコポリマー、カルボキシビニルコポリマーが挙げられる。好ましいポリマーはポリビニルピロリドン及びポリビニルアルコールである。
【００１９】
完成したフィルム中の水溶性ポリマーの濃度は、典型的には２〜７０質量％の間であり、好ましくは５〜５０質量％の間である。特に好ましい濃度は約２０質量％である。
【００２０】
場合により水溶性ポリマーフィルムに使用される界面活性物質（＝界面活性剤）は、１つ又はそれ以上の非イオン性界面活性物質を含み得る。ここでは、５．０及びそれ以上のＨＬＢ値を有する界面活性物質が好ましい。ＨＬＢ値の定義については、Ｈｕｇｏ  Ｊａｎｉｓｔｙｎ，Ｈａｎｄｂｕｃｈ  ｄｅｒ  Ｋｏｓｍｅｔｉｋａ  ｕｎｄ  Ｒｉｅｃｈｓｔｏｆｆｅ  ［Ｈａｎｄｂｏｏｋ  ｏｆ  ｃｏｓｍｅｔｉｃｓ  ａｎｄ  ｆｒａｇｒａｎｃｅｓ］，３ｒｄ  ｖｏｌｕｍｅ：  Ｄｉｅ  Ｋｏｅｒｐｅｒｐｆｌｅｇｅｍｉｔｔｅｌ  ［Ｂｏｄｙ  ｃａｒｅ  ｃｏｍｐｏｓｉｔｉｏｎｓ］，２ｎｄ  ｅｄｉｔｉｏｎ，  Ｄｒ．  Ａｌｆｒｅｄ  Ｈｕｅｔｈｉｇ  Ｖｅｒｌａｇ  Ｈｅｉｄｅｌｂｅｒｇ，  １９７３，  ｐａｇｅｓ  ６８−７８、及びＨｕｇｏ  Ｊａｎｉｓｔｙｎ，  Ｔａｓｃｈｅｎｂｕｃｈ  ｄｅｒ  ｍｏｄｅｒｎｅｎ  Ｐａｒｆｕｅｍｅｒｉｅ  ｕｎｄ  Ｋｏｓｍｅｔｉｋ  ［Ｐｏｃｋｅｔｂｏｏｋ  ｏｆ  ｍｏｄｅｒｎ  ｐｅｒｆｕｍｅｒｙ  ａｎｄ  ｃｏｓｍｅｔｉｃｓ］，４ｔｈ  ｅｄｉｔｉｏｎ，Ｗｉｓｓｅｎｓｃｈａｆｔｌｉｃｈｅ  Ｖｅｒｌａｇｓｇｅｓｅｌｌｓｃｈａｆｔ  ｍ．ｂ．Ｈ．  Ｓｔｕｔｔｇａｒｔ，１９７４，ｐａｇｅｓ４６６−４７４、並びにまたそれらの中で引用される元の文献における記述を明示的に参照する。
【００２１】
ここで特に好ましい非イオン形成性（ｎｏｎｉｏｎｏｇｅｎｉｃ）表面活性物質は、簡単な加工可能性の理由から、固形又は液状として純粋な形態で市販されている物質である。これに関連して、純度の定義は化学的に純粋な化合物を指すのではない。むしろ、特にそれらが天然を基にした製品である場合、例えば天然の脂肪及び油脂に基づく製品について得られるような、様々なアルキル鎖長を有する、異なる同族体の混合物が使用され得る。またアルコキシル化製品の場合も、通常は様々な程度のアルコキシル化の混合物が存在する。これに関連して、用語純度はむしろ、選択された物質が好ましくは溶媒、増量剤及び他の付随物を含有していないべきであるという事を指す。
【００２２】
好ましい非イオン形成性界面活性物質は：
-  脂肪アルキル基中に８〜２２個、特に１０〜１６個の炭素原子、並びに１〜３０、特に１〜１５のエチレンオキシド及び／又はプロピレンオキシド単位を有するアルコキシル化脂肪アルコール。好ましい脂肪アルキル基は、例えばラウリル基、ミリスチル基、セチル基、そしてまたステアリル基、イソステアリル基及びオレイル基である。このクラスの特に好ましい化合物は、例えば２〜４つのエチレンオキシド単位を有するラウリルアルコール、各場合に５〜１０のエチレンオキシド単位を有するオレイルアルコール及びセチルアルコール、セチルアルコール及びステアリルアルコール、並びに１０〜３０のエチレンオキシド単位を有するそれらの混合物、そしたまた市販製品Ａｅｔｈｏｘａｌ(R)Ｂ（Ｈｅｎｋｅｌ）、各場合に５つのエチレンオキシド及びプロピレンオキシド単位を有するラウリルアルコールである。一般的なアルコキシル化脂肪アルコールに加えて、いわゆる「末端をキャップされた（ｔｅｒｍｉｎａｌｌｙ  ｃａｐｐｅｄ）」化合物を本発明にしたがって使用することも可能である。これらの化合物において、末端のアルコキシ基はＯＨ基を有していないが、エーテルの形態、特にＣ1−Ｃ4−アルキルエーテルで「キャップ」されている。このような化合物の一例は市販製品のＤｅｈｙｐｏｎ(R)ＬＴ０５４（Ｃ12-18−脂肪アルコール＋４．５エチレンオキシドブチルエーテル）である。
-  脂肪酸基中に８〜２２個、特に１０〜１６個の炭素原子、並びに１〜３０、特に１〜１５のエチレンオキシド及び／又はプロピレンオキシド単位を有するアルコキシル化脂肪酸。好ましい脂肪酸は例えばラウリン酸、ミリスチン酸、パルミチン酸、ステアリン酸、イソステアリン酸及びオレイン酸である。
-  アルコキシル化、好ましくはプロポキシル化、そして特にエトキシル化、モノグリセリド、ジグリセリド及びトリグリセリド。好ましい化合物の例は、グリセロールモノラウレート＋２０エチレンオキシド及びグリセロールモノステアレート＋２０エチレンオキシドである。
-  ポリグリセロールエステル及びアルコキシル化ポリグリセロールエステル。このクラスの好ましい化合物は、例えば、ポリ（３）グリセロールジイソステアレート（市販製品：Ｌａｍｅｆｏｒｍ(R)ＴＧＩ（Ｈｅｎｋｅｌ））及びポリ（２）グリセロールポリヒドロキシステアレート（市販製品：Ｄｅｈｙｍｕｌｓ(R)ＰＧＰＨ（Ｈｅｎｋｅｌ））である。
-  ソルビタン脂肪酸エステル及びアルコキシル化ソルビタン脂肪酸エステル、例えば、ソルビタンモノラウレート及びソルビタンモノラウレート＋２０エチレンオキシド（ＥＯ）。
-  アルキル鎖中に６〜２１個、特に６〜１５個の炭素原子、並びに０〜３０のエチレンオキシド及び／又はプロピレンオキシド単位を有する、アルキルフェノール及びアルキルフェノールアルコキシレート。このクラスの好ましい代表は、例えばノニルフェノール＋４ＥＯ、ノニルフェノール＋９ＥＯ、オクチルフェノール＋３ＥＯ及びオクチルフェノール＋８ＥＯである。
【００２３】
非イオン形成性界面活性物質の特に好ましいクラスは、アルコキシル化脂肪アルコール、アルコキシル化脂肪酸、そしてまたアルキルフェノール及びアルキルフェノールアルコキシレートである。
【００２４】
完成したフィルム中の界面活性物質の総濃度は他の成分の特性に依存するが、便宜上０．１〜５質量％の間であるべきである。
【００２５】
本発明にしたがって使用され得る可塑剤は特に多価アルコールである。多価アルコールの例としては、グリセロール、ポリエチレングリコール、プロピレングリコール、脂肪酸とのグリセロールモノエステル、又は他の医薬に使用される多価アルコール、そしてさらにデクスパンテノール（ｄｅｘｐａｎｔｈｅｎｏｌ）、トリヒドロキシアミドが挙げられる。フィルムの乾燥質量中の任意の可塑剤の濃度は通常０．１〜１５質量％である。
【００２６】
使用され得る治療用活性成分は、例えば：睡眠薬、鎮静薬、抗てんかん薬、アンフェタミン、精神神経薬（ｐｓｙｃｈｏｎｅｕｒｏｔｒｏｐｉｃｓ）、神経筋遮断薬、抗鎮痙薬、抗ヒスタミン薬、抗アレルギー薬、強心薬、抗不整脈薬、利尿薬、降圧薬、血管収縮薬、鎮咳薬、去痰薬、甲状腺ホルモン、性ホルモン、抗糖尿病薬、抗腫瘍活性成分、抗生物質、並びに化学療法薬、及び麻酔薬である。フィルム中に組み込まれるべき活性成分の量はその種類に依存し、そして通常は０．０１〜２０質量％の間であるが、これは所望の効果を達成するために必要に応じてより高くてもより低くてもよい。
【００２７】
美容活性成分としては、スキンケア剤、例えばデクスパンテノール、ヘアケア組成物、例えばシャンプー、息清涼剤（ｂｒｅａｔｈ  ｆｒｅｓｈｅｎｅｒｓ）、例えばメントール、口腔衛生に通例使用される他の矯味矯臭剤、芳香物質若しくは香料、並びに／又はデンタルケア及び／若しくは口腔衛生用の活性成分、例えば第四級アンモニウム塩基が挙げられる。矯味矯臭剤及び芳香物質の効果は、酒石酸、クエン酸、バニリンなどのような調味料により増強され得る。さらなる美容活性成分は、口腔衛生において使用されるような過酸化カルバミド、又は毛髪を脱色するための過硫酸塩のような漂白剤である。
【００２８】
さらなる添加物として、活性成分含有水溶性ポリマーフィルムは１つ又はそれ以上のアルカリ化剤を、場合により被覆粒子の形態で含み得る。
【００２９】
アルカリ化剤はアルカリ性ｐＨを確立するために役立つ。本発明によれば、アンモニウム、アルカリ金属及びアルカリ土類金属の水酸化物、炭酸塩、炭酸水素塩、ケイ酸塩、特にメタケイ酸塩、そしてまたアルカリ金属リン酸塩のようなアルカリ化剤が使用され得る。短鎖アミン、例えばモノエタノールアミン類、３−アミノ−２−メチルプロパノール又はアルカリ反応アミノ酸、例えばアルギニン、オルニチン及びリジンも使用され得る。
【００３０】
好ましい一実施態様において、粒子状アルカリ化剤は固形アルカリ化剤から作られた粒子核を有する粒子を含み、この固形アルカリ化剤は、アルカリ金属の炭酸塩、リン酸塩及び／又はケイ酸塩から選択される。本発明に従って特に好ましいアルカリ化剤は、アルカリ金属ケイ酸塩、特にメタケイ酸塩である。
【００３１】
さらなる好ましい実施態様において、本発明に従う活性成分含有水溶性ポリマーフィルムは少なくとも２つの異なるアルカリ化剤を含む。これに関連して、例えばメタケイ酸塩及びヒドロキシ炭酸塩の混合物が好ましいかもしれない。
【００３２】
本発明に従う活性成分含有水溶性ポリマーフィルムは、アルカリ化剤を、（非被覆アルカリ化剤として計算して）各場合に活性成分含有水溶性ポリマーフィルムの層に基づいて、好ましくは１〜５０質量％、特に１５〜３５質量％の量で含む。
【００３３】
本発明の好ましい実施態様において、本発明の積層体は、毛髪を脱色するための漂白ホイル（ｂｌｅａｃｈｉｎｇ  ｆｏｉｌ）として使用される。この場合、積層体の１つの層、好ましくは活性成分含有水溶性ポリマーフィルムは漂白剤を含む。漂白剤は、好ましくはペルオキソ化合物を含む。このペルオキソ化合物の選択は、原理上はいずれの制限も受けない。好ましいペルオキソ化合物は、例えば水溶液形態又は固体支持体上のＨ2Ｏ2付加体の形態の過酸化水素（Ｈ2Ｏ2）であり、この場合は過酸化水素化尿素及び炭酸ナトリウム過酸化水素化物（ｐｅｒｏｘｏｈｙｄｒａｔｅ）（「過炭酸ナトリウム」）は特に重要性を有する。過酸化水素に加えて、又はその代わりに、他のペルオキソ化合物が積層体の層に存在していてもよい。
【００３４】
当業者に知られている通例のペルオキソ化合物は、例えばペルオキソ二硫酸アンモニウム、ペルオキソ二硫酸カリウム、ペルオキソ二硫酸ナトリウム、過硫酸アンモニウム、過硫酸カリウム、過硫酸ナトリウム、カリウムペルオキシジホスフェート（ｐｅｒｏｘｉｄｉｐｈｏｓｐｈａｔｅ）、過炭酸塩、例えば過炭酸マグネシウム、過酸化物、例えば過酸化バリウム、そしたまた過ホウ酸塩、過酸化尿素及び過酸化メラミンである。組み合わせて使用することもできるこれらのペルオキソ化合物のうち、本発明に従って、無機化合物が好ましい。ペルオキソ二硫酸塩、特に少なくとも２つのペルオキソ二硫酸塩の組み合わせが特に好ましい。
【００３５】
従って、好ましい積層体の層は、好ましくは固体支持体上への過酸化水素付加化合物、アンモニウム及びアルカリ金属過硫酸塩及びペルオキソ二硫酸塩から選択される固体ペルオキソ化合物をさらに含むことを特徴とし、特に好ましい層は少なくとも２つの異なるペルオキソ二硫酸塩を含む。
【００３６】
ペルオキソ化合物は、本発明に従う積層体の層、特に活性成分含有水溶性ポリマーフィルム中に、好ましくは２〜８０質量％の量で、特に２０〜４５質量％の量で存在する。
【００３７】
さらに、上述の漂白組成物は、さらなる活性成分、補助剤及び添加剤、例えば以下を含み得る、
-  非イオン性ポリマー、例えば、ビニルピロリジノン／アクリル酸ビニルコポリマー、ポリビニルピロリジノン及びビニルピロリジノン／酢酸ビニルコポリマー及びポリシロキサン、
-  カチオン性ポリマー、例えば第四級化セルロースエーテル、第四級基を有するポリシロキサン、ジメチル−ジアリルアンモニウムクロリドポリマー、アクリルアミド−ジメチルジアリルアンモニウムクロリドコポリマー、ジメチル硫酸で第四級化されたジメチルアミノエチルメタクリレート−ビニルピロリドンコポリマー、ビニルピロリジノン−イミダゾリニウムメトクロリド（ｍｅｔｈｏｃｈｌｏｒｉｄｅ）コポリマー及び第四級化ポリビニルアルコール、
-  双性イオン性及び両性ポリマー、例えばアクリルアミドプロピルトリメチルアンモニウムクロリド／アクリレートコポリマー及びオクチルアクリルアミド／メタクリル酸メチル／メタクリル酸ｔｅｒｔ−ブチルアミノエチル／メタクリル酸２−ヒドロキシプロピルコポリマー、
-  アニオン性ポリマー、例えばポリアクリル酸、架橋ポリアクリル酸、酢酸ビニル／クロトン酸コポリマー、ビニルピロリジノン／アクリル酸ビニルコポリマー、酢酸ビニル／マレイン酸ブチル／アクリル酸イソボルニルコポリマー、メチル  ビニルエーテル／無水マレイン酸コポリマー及びアクリル酸／アクリル酸エチル／Ｎ−ｔｅｒｔ−ブチルアクリルアミドターポリマー、
-  増粘剤、例えば寒天、グアーガム、アルギン酸塩、キサンタンゴム、アラビアゴム、カラヤゴム、イナゴマメ種子粉末、アマシードガム、デキストラン、セルロース誘導体、例えばメチルセルロース、ヒドロキシアルキルセルロース、及びカルボキシメチルセルロース、デンプン画分及び誘導体、例えばアミロース、アミロペクチン及びデキストリン、クレイ、例えばベントナイト又は完全合成親水コロイド、例えばポリビニルアルコール、
-  構造化物質（ｓｔｒｕｃｔｕｒａｎｔｓ）、例えばグルコース、マレイン酸及び乳酸、
-  ヘアコンディショニング化合物、例えばリン脂質、例えば大豆レシチン、卵レシチン及びケファリン、そしてまたシリコーンオイル、
-  タンパク質加水分解物、特にエラスチン、コラーゲン、ケラチン、乳タンパク質、大豆タンパク質及び小麦タンパク質加水分解物、脂肪酸とのそれらの縮合生成物、及び第四級化タンパク質加水分解物、
-  香油、ジメチルイソソルビド及びシクロデキストリン、
-  溶媒及び溶解促進剤、例えばエタノール、イソプロパノール、エチレンググリコール、プロピレングリコール、グリセロール及びジエチレングリコール、
-  繊維構造改善活性成分、特に単糖類、二糖類及びオリゴ糖、例えばグルコース、ガラクトース、フルクトース、果糖及びラクトース、
-  活性成分、例えばパンテノール、パントテン酸、アラントイン、ピロリドンカルボン酸及びその塩、
-  第四級化アミン、例えばメチル−１−アルキルアミドエチル−２−アルキルイミダゾリニウムメソ硫酸、
-  消泡剤、例えばシリコーン、
-  組成物を着色するための色素、
-  フケ防止活性成分、例えばピロクトンオラミン（ｐｉｒｏｃｔｏｎｅ  ｏｌａｍｉｎｅ）、亜鉛オマジン及びクリンバゾール、
-  光保護剤、特に誘導体化ベンゾフェノン、桂皮酸誘導体及びトリアジン類、
-  ｐＨ調節のための物質、例えば慣用の酸、特に食用の酸及び塩基、
-  活性成分、例えばアラントイン、ピロリドンカルボン酸及びその塩、並びにビサボロール、
-  ビタミン類、プロビタミン及びビタミン前駆体、特にＡ、Ｂ３、Ｂ５、Ｂ６、Ｃ、Ｅ、Ｆ及びＨ群のもの、
-  植物抽出物、例えば緑茶、オーク樹皮、イラクサ、マンサク、ホップ、カモミール、ゴボウ、ツクシ、サンザシ、リンデンブロッサム（ｌｉｎｄｅｎ  ｂｌｏｓｓｏｍ）、アーモンド、アロエ、ファーニードル、トチノキ、白檀、ジュニパー、ココナツ、マンゴー、アンズ、レモン、小麦、キーウイ、メロン、オレンジ、グレープフルーツ、セージ、ローズマリー、カバノキ、アオイ科植物、ハナタネツケバナ（ｌａｄｙ’ｓ  ｓｍｏｃｋ）、イブキジャコウソウ、ノコギリソウ、タイム、メリッサ、ハリモクシュク（ｒｅｓｔ
−ｈａｒｒｏｗ）、フキタンポポ、ウスベニタチアオイ、分裂組織、朝鮮人参及び根ショウガの抽出物、
-  コレステロール、
-  稠度調整剤、例えば糖エステル、ポリオールエステル又はポリオールアルキルエーテル、
-  脂肪及びロウ、例えば鯨ろう、蜜ろう、モンタンろう及びパラフィン類、脂肪アルコール及び脂肪酸エステル、
-  脂肪酸アルカノールアミド、
-  錯化剤、例えばＥＤＴＡ、ＮＴＡ、β−アラニン二酢酸及びホスホン酸、
-  膨潤及び浸透物質、例えばグリセロール、プロピレングリコールモノエチルエーテル、炭酸塩、炭酸水素塩、グアニジン、尿素、並びに第一、第二及び第三リン酸塩、
-  乳白剤、例えばラテックス、スチレン／ＰＶＰ及びスチレン／アクリルアミドコポリマー、
-  真珠光沢剤（ｐｅａｒｌｉｚｉｎｇ  ａｇｅｎｔｓ）、例えばエチレングリコールモノ−及びジステアレート、そしてまたＰＥＧ−３ジステアレート、顔料、
-  過酸化水素及び他の酸化剤用の安定剤、
-  推進剤、例えばプロパン／ブタン混合物、Ｎ2Ｏ、ジメチルエーテル、ＣＯ2及び空気、
-  抗酸化剤、
-  色素、
-  香料並びに
-  崩壊剤。
【００３８】
希望通りフィルム中に混合され得る特定の物質は、毒性に関して安全でなければならず、そして関連機関により化粧品、医薬品、及び薬剤における使用について承認されているべきである。
【図面の簡単な説明】
【００３９】
【図１】活性成分含有水溶性ポリマー層（１）、水分保持層（２）及び場合により存在する支持層（３）で作られている、本発明に従う積層体の構造を示す。
【発明を実施するための形態】
【００４０】
活性成分含有水溶性フィルム（１）は、以下のように製造され得る：
活性成分並びに場合により使用される表面活性物質、場合により使用される可塑剤、崩壊剤及び、水溶性ポリマー（単数又は複数）とは別の他の可能な構成成分を、十分な量の適合性の溶媒に溶解又は分散させる。適合性の溶媒の例としては、水、アルコール、例えばエチルアルコール、エステル、例えば酢酸エチル、ケトン、例えばアセトン、エーテル、例えばジエチルエーテル、テトラヒドロフラン（ＴＨＦ）、ジメチルホルムアミド（ＤＭＦ）、ジメチルスルホキシドＤＭＳＯ又はそれらの混合物が挙げられる。溶液又は懸濁液を形成した後、水溶性ポリマー又は水溶性ポリマーの混合物を撹拌しながらゆっくりと加え、そして必要な場合は、均一な溶液又は均一なペースト状の塊が形成するまで加熱する。あるいは、そして使用される出発物質がこれを可能にするならば、この塊は溶媒を使用しなくても製造され得る。
【００４１】
次いで、得られた塊を都合よく支持体（３）に塗布し、そして乾燥させてフィルムを得る。支持体材料は、ポリマー溶液又は塊を、溶液／塊が染み込んで、それ故破壊的な結合が支持体とコーティングとの間に形成されることなく、意図されたコーティングの幅にわたって均一に広げることを可能にする表面張力を有していなければならない。適切な材料の例としては、アルミニウム膜のような金属膜、非シリコン処理ポリエチレンテレフタレートフィルム、非シリコン処理クラフト紙、ポリエチレン含浸クラフト紙又は非シリコン処理ポリエチレンフィルムが挙げられる。
【００４２】
溶液又は塊を、いずれかの慣用の装置を使用して支持体材料（３）に塗布することができる。特に好ましい塗布技術は、ナイフオーバーロールコーティング機に関するものである。得られるフィルム層の厚さは、コーティング溶液又は塊中の固形物の濃度、そしてまたコーティング機のギャップ幅に依存し、そして５〜５０００μｍの間で変化し得る。フィルムの乾燥を、活性成分の効果を不利に損なうことのない、例えば乾燥炉を使用する熱風浴、トンネル乾燥機、真空乾燥機又は他の適切な乾燥装置で行う。次いで、フィルム−支持膜を含むか又は支持膜から分離後−をさらにさらに加工するか、又はより良い使い易さのために、直接切断するか、又は適切な寸法及び形状の部分にする。
【００４３】
不織布、編物、織物、泡膜（＝水分保持層（２））
本発明に従う積層体の第二層（２）は水溶性ポリマーから構成され、このポリマーで作られた層は増加した水分保持能力を有するように構成されている。これは、例えば不織布の形態の水溶性ポリマーのステープル繊維から、又は対応する編物若しくは織物を得るように加工される水溶性ポリマーの対応する繊維から層を構築することにより行われ得る。
【００４４】
本発明に従って使用される不織布、編物又は織物の厚さは、５〜１０００μｍ、好ましくは１０〜５００μｍ、そして特に好ましくは２０〜２００μｍの間で変化する。これらは便宜上、５〜１０００ｇ／ｍ2、好ましくは１０〜５００ｇ／ｍ2、特に好ましくは２０〜２００ｇ／ｍ2の面積質量を有する。
【００４５】
本発明によれば、不織布、例えばＦｒｅｕｄｅｎｂｅｒｇ（Ｗｅｉｎｈｅｉｍ，  Ｇｅｒｍａｎｙ）によりＶｉｌｅｎｅ(R)（ＤＯ  １０１又はＤＯ  １０２）の名称で販売されるような、特にＰＶＡから作られた不織布が好ましい。
【００４６】
水分保持層（２）の特に有利な構成は、例えばＤＥ−Ａ−１００  ３２  ４５６（この時点で明示的にこれを参照する）に記載されるような、水溶性ポリマーから作られた泡膜である。このような泡は水性環境で急速に崩壊又は溶解し、そしてさらに、（さらなる）活性成分（例えば活性剤）が、それらの泡中への封入のために、あらゆる面でそれらを取り囲んでいる泡のポリマー殻の外側の物質と接触しない泡の空洞における放出を提供し得るという利点を有する。
【００４７】
従って泡の空隙又は空洞は、気体、気体混合物、液体又は液体混合物で満たされ得る。マトリックスのポリマーは、上記の水溶性フィルムにも使用されるように、水溶性ポリマーであるが、ポリビニルアルコール−ポリエチレングリコールグラフトコポリマーが好ましく使用される。
【００４８】
泡膜（２）の空隙又は空洞は、各場合に互いに分離されたポリマーマトリックス中に、好ましくは（ＰＵ又はＰＳフォームについて知られるような）凝固した気泡の形態で存在し得る。
【００４９】
空洞中の気体又は気体混合物は、好ましくは空気、窒素、酸素、二酸化炭素、ヘリウム又はこれらの気体のいずれかの望ましい混合物であり、特に好ましくは空気である。しかし、空隙又は空洞が液体又は液体混合物（例えば油）で満たされている場合（ここでこれらの液体はマトリックス材料と混和性でなく、かつマトリックスのポリマー骨格を溶解しない）もまた有利かもしれない。この液体又は液体混合物は、１つ又はそれ以上の活性成分をさらに含み得る。
【００５０】
泡膜の厚さは好ましくは０．１〜５ｍｍ、特に好ましくは０．５〜１ｍｍである。
【００５１】
泡膜（２）を製造するために、例えば、最初に水溶性ポリマー及び場合により活性成分を含む溶液又は分散液を準備する。濃縮された溶液でも粘性の塊でもよいこの溶液を、次いで気体又は気体混合物（例えば空気）を導入することによって泡立てる。これは、分散機又は泡立て機を用いて行うことができ、他の方法、例えば超音波によっても行うことができるが、好ましくは泡立て機を用いて行う。結果として、気泡の直径は広い範囲内で、ほとんど任意に調整され得る。例えば、気泡又は空洞の直径は、０．０１〜５０μｍの範囲内であり得；０．１〜１０μｍの間の直径を有する気泡／空洞が好ましい。このようにして製造されたフォーム又は空気の気泡を含有する（又は気体の気泡を含有する過又は活性成分を丸ゆする）塊を安定化するために、泡安定剤をフォームの生成前又は生成中に加えることができる。この目的に適した薬剤、例えば界面活性剤は当業者に公知であり、そして例として上に列挙される。最後に、フォームを活性成分含有水溶性ポリマー層上に、又は泡膜が別々に製造される場合はフィルム又は層としての適切な基材上に広げ、その後乾燥させる。溶媒除去の結果として、フォームは乾燥中に凝固して、形成された空洞が永久構造を生じるエアロゲルを生じる。
【００５２】
製造される空隙及び空洞の形状、数及び寸法は、様々な加工パラメーターによって、例えばポリマーの濃度により、ポリマー塊の粘性により、発泡過程の制御により（上記を参照のこと）又は泡安定剤の選択により影響を受け得る。
【００５３】
泡膜を製造するためのさらなる代替の方法はＤＥ−Ａ−１００  ３２  ４５６に記載される。
【００５４】
水溶性積層体
本発明に従う積層体は、活性成分含有ポリマーフィルム及び水溶性不織布、編物、織物又は水溶性泡膜から製造される。
【００５５】
便宜上、ここでの手順は活性成分含有ポリマーフィルムと水溶性不織布、編物、織物又は水溶性泡膜とを別々に製造すること、それらを重ね合わせること、及び次いでそれらを一緒にして巻き取るか又はそれらを組み立てて本発明に従う積層体を得ることを含む。
【００５６】
あるいは、活性成分含有ポリマーフィルムの製造方法において、水溶性不織布、編物、織物又は水溶性泡膜はまた、例えば乾燥の前若しくは後に、この上に積層されても、塊の形態で上に広げられてもよい（又は逆もまた同様：水溶性不織布、編物、織物又は水溶性泡膜の製造方法において、活性成分含有ポリマーフィルムをこれらの上に積層するか又は広げる）。次いで、支持膜を含むか又は支持膜から分離した後の積層体を、巻き取り、そして貯蔵するか又は適切な寸法の部分に切り分け、そして成形し包装する。
【００５７】
本発明に従う積層体の利点は、積層体が、水を加えた後に、スポンジと同じように完全に水が染み込み、かつ／又は比較的多くの量が材料表面に残るということである。ここでは、最初に薄い水溶性被膜（２）（例えば不織布）が溶解され、その後比較的多量の水がその後の活性成分放出のために利用可能になる。
【００５８】
本発明に従う積層体は、毛髪の漂白に都合よく適する。これに関連して、手順は一般的に以下のとおりである：
-  本発明に従う積層体の水分保持層を水性媒体、好ましくは２〜１０質量％濃度のＨ2Ｏ2水溶液又は過酸化カルバミドゲルで湿潤させ；その後（直ちに）
-  一房の毛髪を湿潤した水分保持層上に配置し、
-  場合により、この一房の毛髪を平坦な被膜（これは活性成分及び場合により添加物に対して不浸透性である）で覆い、
-  湿潤した水分保持層と活性成分含有層との間の長期の接触によって活性成分を放出させる工程、
-  活性成分が一房の毛髪に対して、少なくとも５分間、好ましくは２０〜１２０分間作用するようにし、この間に漂白が起こり；［この「作用するようにすること」はさらなる熱の導入で起こり得、その結果として、接触時間を短縮することができ、かつ／又は漂白を強化することができる］、
-  積層体、及び任意の存在するシート状被膜を除去し、
-  場合により、一房の毛髪を水ですすぐ。
【００５９】
本発明は、実施例を参照することにより以下でより詳細に説明される。
【実施例】
【００６０】
実施例１
激しく撹拌しながら、ポリビニルピロリドンポリマー（ＰＶＰＰ）（Ｋｏｌｌｉｄｏｎ(R)３０、ＢＡＳＦ）２５ｇ及び崩壊剤（Ｋｏｌｌｉｄｏｎ(R)ＣＬ−ＳＦ、ＢＡＳＦ）５ｇをエタノール３０ｇ及び水６ｇに溶解した。過酸化カルバミド７０ｇを少しずつ加え、そしてこの混合物を視覚的に均一になった時点まで撹拌した。次いでｐＨを、リン酸を滴下してｐＨ電極を用いて調べることにより４に調整した。
【００６１】
得られたペーストを支持膜（アルミニウム膜、４０ｇ／ｍ2、Ｋｏｒｆｆ、Ｓｗｉｔｚｅｒｌａｎｄ）に手動コーティングバー（ギャップ幅１０００μｍ）を使用して塗布し、水溶性不織布（Ｆｒｅｕｄｅｎｂｅｒｇ，  Ｗｅｉｎｈｅｉｍ，  ＧｅｒｍａｎｙからのＶＩＬＥＮＥ(R)ＤＯ  １０１）で覆い、次いで約４２０ｇ／ｍ2の面積質量（円形箔押機（ｃｉｒｃｕｌａｒ  ｓｔａｍｐｉｎｇ  ｐｒｅｓｓ）５０ｃｍ2、実験用化学天秤を用いて計量）を有する乾燥積層体が得られるように２４時間室温で放置した。
【００６２】
得られた生成物をそれぞれ１０・１７ｃｍの部分に分けて、四辺（ｆｏｕｒ−ｅｄｇｅ）密封袋中に個別に包装した。使用した包装材料は紙／Ａｌｕ／ＰＥから作られた複合材であった。
【００６３】
実施例２
激しく撹拌しながら、最初にＰＶＰＰ（Ｋｏｌｌｉｄｏｎ３０）２０ｇ、次いで崩壊剤（Ｋｏｌｌｉｄｏｎ  ＣＬ−ＳＦ）５ｇをエタノール３５ｇに加えた。可塑剤１０ｇ（デクスパンテノール１００％）を均一な塊中に導入し、そして完全に溶解するまで撹拌した。毛髪を漂白するための成分（アルカリ金属ケイ酸塩（過酸化物安定剤）；過硫酸ナトリウム（漂白剤）；過硫酸アンモニウム（漂白剤）；ＥＤＴＡ二ナトリウム（錯化剤、安定剤）、シリカ）からなる固形混合物６５ｇを少しずつ加え、そしてこの混合物を視覚的に視覚的に均一になった時点まで撹拌した。
【００６４】
得られたペーストを、手動コーティングバー（ギャップ幅６００μｍ）を用いて支持膜に塗布し、水溶性不織布（Ｆｒｅｕｄｅｎｂｅｒｇ，  Ｗｅｉｎｈｅｉｍ，  ＧｅｒｍａｎｙからのＶＩＬＥＮＥ  ＤＯ１０１）で覆い、次いで約５２０ｇ／ｍ2の面積質量（円形箔押機５０ｃｍ2、実験用化学天秤を用いて計量）を有する乾燥積層体が得られるように室温で２４時間放置した。
【００６５】
得られた生成物をそれぞれ１０・１７ｃｍの部分に分けて、四辺密封袋中に個別に包装した。使用した包装材料は紙／Ａｌｕ／ＰＥから作られた複合材であった。
【００６６】
実施例３
激しく撹拌しながら、最初にＰＶＰＰ  １７ｇ（Ｋｏｌｌｉｄｏｎ３０）、次いで崩壊剤（Ｋｏｌｌｉｄｏｎ  ＣＬ−ＳＦ）３ｇをエタノール３５ｇに加えた。可塑剤（クエン酸トリエチル）１２ｇをこの均一な塊中に導入し、そして完全に溶解するまで撹拌した。毛髪の漂白のための成分からなる固形混合物（過硫酸塩、ケイ酸塩など、実施例２を参照のこと）７０ｇを加え、そして視覚的に均一になった時点まで撹拌した。
【００６７】
得られたペーストを手動コーティングバー（ギャップ幅６００μｍ）を用いて支持膜に塗布し、水溶性不織布（Ｆｒｅｕｄｅｎｂｅｒｇ，  Ｗｅｉｎｈｅｉｍ，  ＧｅｒｍａｎｙからのＶＩＬＥＮＥ  ＤＯ１０１）で覆い、次いで約４９０ｇ／ｍ2の面積質量（円形箔押機５０ｃｍ2、実験用化学天秤を用いて計量）を有する乾燥積層体が得られるように室温で２４時間放置した。
【００６８】
得られた生成物をそれぞれ１０・１７ｃｍの部分に分けて、四辺密封袋中に個別に包装した。使用した包装材料は紙／Ａｌｕ／ＰＥから作られた複合材であった。
【００６９】
実施例４（適用実施例）
実施例１〜３からの積層体を毛髪の漂白のために使用した。これについて、手順は以下のとおりである：
積層体の水分保持層を過酸化水素水溶液又はゲル（４〜９質量％）で処理した。次いで各場合において、一房の毛髪を湿らせた水分保持層上に配置した。房の周りに積層体を巻き付けることにより、毛髪と活性成分との間を密接に接触させた。外部から熱を導入することなく４５分の接触時間の後、積層体を除去し、そして毛髪の房を水ですすいだ。
【００７０】
結果の説明：
このようにして処理した毛髪は、積層体の厚さ及び適用された過酸化水素の質量に依存して異なる程度の明色化を示した。
【図１】
2013544671.tif 000002
【手続補正書】
【提出日】平成24年11月23日(2012.11.23)
【手続補正１】
【補正対象書類名】特許請求の範囲
【補正対象項目名】全文
【補正方法】変更
【補正の内容】
【特許請求の範囲】
【請求項１】
２層の積層体であって、ここで
-  積層体の１つの層は活性成分含有水溶性ポリマーフィルム（＝「活性成分含有水溶性ポリマー層」）であり、ここで該ポリマーは水溶性ポリマーであり、
かつ
-  積層体の第二層は、水溶性ポリマーからなる、不織布、編物、織物又は泡膜（＝「水分保持層」）であり、ここで２つの層の水溶性ポリマーは同一でも異なっていてもよく、
該活性成分含有水溶性ポリマーフィルムが、少なくとも１つのペルオキソ化合物を２０〜４５質量％の量で含むことを特徴とする、上記積層体。
【請求項２】
水溶性ポリマーが：セルロース誘導体、ポリビニルピロリドン、ポリビニルアルコール、アルギン酸ナトリウム、ポリエチレングリコール、天然ゴム、水分散性ポリアクリレート、及びそれらの混合物から選択されることを特徴とする、請求項１に記載の積層体。
【請求項３】
活性成分含有水溶性ポリマーフィルム中の水溶性ポリマーの濃度が２〜７０質量％の間であることを特徴とする、請求項１又は２に記載の積層体。
【請求項４】
活性成分含有水溶性ポリマーフィルムが、界面活性物質（＝界面活性剤）、好ましくは１つ又はそれ以上の非イオン性表面活性物質、好ましくは５．０及びそれ以上のＨＬＢ値を有するもの、特に好ましくは非イオン形成性表面活性物質、そして非常に特に好ましくは
-  脂肪アルキル基中に８〜２２個の炭素原子並びに１〜３０のエチレンオキシド及び／若しくはプロピレンオキシド単位を有するアルコキシル化脂肪アルコール、並びに／又は
-  脂肪酸基中に８〜２２個の炭素原子並びに１〜３０のエチレンオキシド及び／若しくはプロピレンオキシド単位を有するアルコキシル化脂肪酸、並びに／又は
-  アルコキシル化モノグリセリド、ジグリセリド及びトリグリセリド、並びに／又は
-  ポリグリセロールエステル及びアルコキシル化ポリグリセロールエステル、並びに
／又は
-  ソルビタン脂肪酸エステル及びアルコキシル化ソルビタン脂肪酸エステル、並びに／又は
-  アルキル鎖中に６〜２１個の炭素原子並びに０〜３０のエチレンオキシド及び／又はプロピレンオキシド単位を有する、アルキルフェノール及びアルキルフェノールアルコキシレート
を含み、
ここで活性成分含有水溶性ポリマーフィルム中の界面活性物質の総濃度が好ましくは０．１〜５質量％の間である、
請求項１〜３のいずれか１項に記載の積層体。
【請求項５】
活性成分含有水溶性ポリマーフィルムが、可塑剤、好ましくは多価アルコール、特にグリセロール、デクスパンテノール、ポリエチレングリコール、プロピレングリコール、及び／又は脂肪酸グリセロールモノエステルを含み、ここで活性成分含有水溶性ポリマーフィルムの乾燥質量における可塑剤の濃度は好ましくは０．１〜１５質量％であることを特徴とする、請求項１〜４のいずれか１項に記載の積層体。
【請求項６】
活性成分含有水溶性ポリマーフィルムが、場合により被覆粒子の形態の１つ又はそれ以上のアルカリ化剤、好ましくは少なくとも２つの異なるアルカリ化剤を含み、ここで該アルカリ化剤は、好ましくは活性成分含有水溶性ポリマーフィルム中に（非被覆アルカリ化剤として計算して）１〜５０質量％の量で存在することを特徴とする、請求項１〜５のいずれか１項に記載の積層体。
【請求項７】
積層体の第二層が、不織布の形態の水溶性ポリマーのステープルファイバーから構成されるか、又は編物若しくは織物の形態の水溶性ポリマーの対応する繊維から構成され、ここで不織布、編物若しくは織物の厚さは、好ましくは５〜１０００μｍの間で変化し、かつ／又はそれらの面積質量は５〜１０００ｇ／ｍ2の間であることを特徴とする、請求項１〜６のいずれか１項に記載の積層体。
【請求項８】
積層体の第二層が、好ましくは０．１〜５ｍｍの厚さを有する、水溶性ポリマーの泡膜であることを特徴とする、請求項１〜６のいずれか１項に記載の積層体。
【請求項９】
積層体が第三層（＝支持体）を含み、第三層は好ましくは：アルミニウム膜のような金属膜、非シリコン処理ポリエチレンテレフタレートフィルム、非シリコン処理クラフト紙、ポリエチレン含浸クラフト紙及び非シリコン処理ポリエチレンフィルムから選択されることを特徴とする、請求項１〜８のいずれか１項に記載の積層体。
【請求項１０】
請求項１に記載の積層体を製造するための方法であって、
活性成分含有ポリマーフィルム及び水溶性不織布、編物、織物若しくは水溶性泡膜を別々に製造し、重ね合わせ、次いで一緒にして巻き取るか若しくは組み立てて積層体を得るか、
又は水溶性不織布、編物、織物、若しくは水溶性泡膜を活性成分含有ポリマーフィルムの製造過程において、場合により支持膜を用いて、ポリマーフィルム上に積層するか、若しくは塊として広げて、次いで積層体［任意の支持膜を含むか又は任意の支持膜を分離した後］を巻き取り、そして貯蔵するか若しくは適切な寸法の部分に切り分け、そして成形して包装するか、
又は水溶性不織布、編物、織物、若しくは水溶性泡膜の製造過程において活性成分含有ポリマーフィルムを、場合により支持膜を用いて、水溶性不織布、編物、織物若しくは水溶性泡膜上に積層するか若しくは広げて、次いで積層体［任意の支持膜を含むか又は任意の支持膜を除去した後］を巻き取り、そして貯蔵するか若しくは適切な寸法の部分に切り分け、そして成形し包装する、
ことを特徴とする、上記方法。
【請求項１１】
毛髪を脱色するための、請求項１に記載の積層体の使用。
【請求項１２】
毛髪を脱色するための方法であって：
-  請求項１に記載の積層体の水分保持層を水性媒体で湿潤させる工程、
-  一房の毛髪を湿潤した水分保持層上に配置する工程、
-  湿潤した水分保持層と活性成分含有層との間の長期の接触によって活性成分を放出させる工程、
-  活性成分が一房の毛髪に対して作用するようにする工程、及び
-  積層体を除去する工程
を特徴とする、上記方法。
【国際調査報告】
2013544671.tif 000003
2013544671.tif 000004
2013544671.tif 000005
2013544671.tif 000006
2013544671.tif 000007
2013544671.tif 000008